(57)【要約】【課題】商品通路内のボトル商品の底面を支持する部材を容易に交換することのできるボトル商品の自動販売機を提供する。【解決手段】各商品通路１０ａにはそれぞれスライダー２０が設けられ、前端支持部材６０及び後端支持部材７０が下方及び前後方向から係合することにより各スライダー２０が収容ラック１０に取付けられていることから、各商品通路１０ａのうち何れか一つの商品通路１０ａのスライダーが傷付いた場合は、前端支持部材６０及び後端支持部材７０との係合を解除することにより、傷付いたスライダー２０を取外すことができる。また、前端支持部材６０及び後端支持部材７０と係合させることにより、新たなスライダー２０を収容ラック１０に取付けることができる。従って、スライダー２０が傷付いた場合の交換作業を容易に行うことができる。【選択図】図１８
2007293505.tif 000002
【特許請求の範囲】
【請求項１】
前面を開口した自動販売機本体と、自動販売機本体に装着された収容ラックと、収容ラックに設けられ、複数のボトル商品を前後方向に並ぶように起立状態で収容可能な複数の商品通路と、各商品通路に前後方向に延びるようにそれぞれ設けられ、商品通路内に収容された各ボトル商品を前方に向かって移動可能に支持する複数のスライダーと、各商品通路の前方にそれぞれ配置されるように収容ラックに設けられるとともに、互いに幅方向に並ぶように配置され、周方向の一部に開口部を有する略筒状に形成された複数の回転バケットとを備え、回転バケットを開口部が後方を向く回転方向所定位置に配置すると、スライダー上の各ボトル商品のうち最前のボトル商品が回転バケット内に移動し、回転バケットを開口部が前方を向く他の回転方向所定位置まで回転させると、回転バケット内のボトル商品が前方に搬出されるボトル商品の自動販売機において、
前記収容ラックの前端側に設けられ、各スライダーの前端に下方及び前方から係合する前端支持部材と、
収容ラックの後端側に設けられ、各スライダーの後端に下方及び後方から係合する後端支持部材とを備え、
各スライダーを前端支持部材及び後端支持部材によって収容ラックに取付けるように構成した
ことを特徴とするボトル商品の自動販売機。
【請求項２】
前記前端支持部材を、各スライダーの前端の上方への移動を規制可能に形成し、
後端支持部材を、各スライダーの後端の上方への移動を規制可能に形成するとともに、収容ラックに着脱可能に取付けた
ことを特徴とする請求項１記載のボトル商品の自動販売機。
【請求項３】
前記収容ラックを、収容ラックの側面を形成する一対の側面板と、各側面板の後端に固定され、収容ラックの背面を形成する背面板と、各側面板の前端に固定されるとともに、各回転バケットが取付けられ、収容ラックの前面を形成する前面パネルと、背面板及び前面パネルに固定され、各側面板の間を幅方向に仕切って前記各商品通路を形成する複数の仕切板とから構成した
ことを特徴とする請求項１または２記載のボトル商品の自動販売機。
【請求項４】
前記各回転バケットのうち幅方向一端の回転バケットと一方の側面板との間に設けられた第１閉鎖部材と
各回転バケットのうち幅方向他端の回転バケットと他方の側面板との間に設けられた第２閉鎖部材と、
第１閉鎖部材と第２閉鎖部材とを連結することにより形成され、各回転バケットの間に設けられた第３閉鎖部材とを備えた
ことを特徴とする請求項３記載のボトル商品の自動販売機。
【請求項５】
前記第１閉鎖部材にネジ孔を設けるとともに、第２閉鎖部材に取付孔を設け、取付孔を挿通してネジ孔に螺合する締結部材によって第１閉鎖部材と第２閉鎖部材とを連結するように構成した
ことを特徴とする請求項４記載のボトル商品の自動販売機。
【請求項６】
前記第１閉鎖部材をそのネジ孔に螺合する締結部材によって側面板に取付けるとともに、第２閉鎖部材をその取付孔を挿通する締結部材によって側面板に取付けるように構成した
ことを特徴とする請求項５記載のボトル商品の自動販売機。
【請求項７】
前記各スライダーを、商品通路内に収容されたボトル商品の底面に接触する合成樹脂製のスライダー本体と、スライダー本体よりも剛性の高い材料から成り、スライダー本体の下面に沿うように設けられた補強部材とから構成した
ことを特徴とする請求項１、２、３、４、５または６記載のボトル商品の自動販売機。
【請求項８】
前記各側面板の後端側に互いに上下方向に間隔をおいて配置された複数の取付孔をそれぞれ設け、
後端支持部材の両端が各側面板の取付孔に挿入されることにより、後端支持部材が収容ラックに着脱可能に取付けられるように構成した
ことを特徴とする請求項１、２、３、４、５、６または７記載のボトル商品の自動販売機。
【請求項９】
前記各回転バケットの上端側に取付可能な補強部材を備え、
補強部材と回転バケットとが回転方向に係合するとともに、駆動機構の駆動シャフトが補強部材に回転方向に係合するように構成した
ことを特徴とする請求項１、２、３、４、５、６、７または８記載のボトル商品の自動販売機。
【発明の詳細な説明】
【技術分野】
【０００１】
本発明は、飲料入りのビンやペットボトル等のボトル商品を起立状態で収容する収容ラックを有し、収容ラックの前面側に設けられた回転バケットによってボトル商品を１つずつ搬出するようにしたボトル商品の自動販売機に関するものである。
【背景技術】
【０００２】
従来、この種のボトル商品の自動販売機としては、前面を開口した自動販売機本体と、自動販売機本体に前方に向かって引き出し可能に装着され、複数のボトル商品を起立状態で前後方向に並ぶように複数列収容可能に形成されるとともに、収容された各ボトル商品が底板の傾斜によって前方に向かって移動するように構成された箱状の収容ラックと、収容ラック内に収容された各ボトル商品を列ごとに仕切り、収容ラック内に複数の商品通路を形成する複数の仕切板と、各商品通路の前方にそれぞれ配置されるように収容ラックに設けられ、周方向の一部に開口部を有する略円筒形状に形成された複数の回転バケットとを備え、回転バケットを開口部が後方を向く回転方向所定位置に配置すると、商品通路内の各ボトル商品のうち最前のボトル商品が回転バケット内に移動し、回転バケットを開口部が前方を向く他の回転方向所定位置まで回転させると、回転バケット内のボトル商品が前方に搬出されるようにしたものが知られている（例えば、特許文献１参照。）。
【特許文献１】特開２０００−２９３７５１号公報
【発明の開示】
【発明が解決しようとする課題】
【０００３】
ところで、前記自動販売機では、ボトル商品が収容ラックの底板の傾斜によって前方に向かって移動するようになっているので、収容ラックの底板がボトル商品によって傷付き、定期的に収容ラックの底板を交換する必要がある。しかしながら、一般に前記底板はボルト等の締結部材によって収容ラックに固定されているので、締結部材の着脱を必要とする分だけ底板の交換に手間がかかるという問題点があった。
【０００４】
また、各商品通路のうち何れか一つの商品通路に対応する位置の底板が傷付くと、他の商品通路に対応する位置の底板が傷付いていない場合でも、前述のように底板を交換する必要があるので、底板の交換に手間がかかるという問題点もあった。
【０００５】
本発明は前記問題点に鑑みてなされたものであり、その目的とするところは、商品通路内のボトル商品の底面を支持する部材を容易に交換することのできるボトル商品の自動販売機を提供することにある。
【課題を解決するための手段】
【０００６】
本発明は前記目的を達成するために、前面を開口した自動販売機本体と、自動販売機本体に装着された収容ラックと、収容ラックに設けられ、複数のボトル商品を前後方向に並ぶように起立状態で収容可能な複数の商品通路と、各商品通路に前後方向に延びるようにそれぞれ設けられ、商品通路内に収容された各ボトル商品を前方に向かって移動可能に支持する複数のスライダーと、各商品通路の前方にそれぞれ配置されるように収容ラックに設けられるとともに、互いに幅方向に並ぶように配置され、周方向の一部に開口部を有する略筒状に形成された複数の回転バケットとを備え、回転バケットを開口部が後方を向く回転方向所定位置に配置すると、スライダー上の各ボトル商品のうち最前のボトル商品が回転バケット内に移動し、回転バケットを開口部が前方を向く他の回転方向所定位置まで回転させると、回転バケット内のボトル商品が前方に搬出されるボトル商品の自動販売機において、前記収容ラックの前端側に設けられ、各スライダーの前端に下方及び前方から係合する前端支持部材と、収容ラックの後端側に設けられ、各スライダーの後端に下方及び後方から係合する後端支持部材とを備え、各スライダーを前端支持部材及び後端支持部材によって収容ラックに取付けるように構成している。
【０００７】
これにより、各商品通路にはそれぞれボトル商品の底面を支持するスライダーが設けられ、各スライダーは前端支持部材及び後端支持部材が下方及び前後方向から係合することにより収容ラックに取付けられていることから、各商品通路のうち何れか一つの商品通路のスライダーが傷付いた場合は、前端支持部材及び後端支持部材との係合を解除することにより、傷付いたスライダーが収容ラックから取外され、前端支持部材及び後端支持部材に係合させることにより、新たなスライダーが収容ラックに取付けられる。
【発明の効果】
【０００８】
本発明によれば、各商品通路のうち何れか一つの商品通路のスライダーが傷付いた場合は、前端支持部材及び後端支持部材との係合を解除することにより、傷付いたスライダーを取外すことができ、前端支持部材及び後端支持部材に係合させることにより、新たなスライダーを収容ラックに取付けることができるので、商品通路内のボトル商品の底面を支持する部材であるスライダーを容易に交換することができる。また、各スライダーを前端支持部材及び後端支持部材によって収容ラックに取付けることができるので、各スライダーを取付ける構造が簡単であり、製造コストを低減する上で極めて有利である。
【発明を実施するための最良の形態】
【０００９】
図１乃至図１８は本発明の一実施形態を示すもので、図１は自動販売機の斜視図、図２は収容ラックの斜視図、図３は収容ラックの平面図、図４は取付板及び駆動機構を取外した状態の収容ラックの平面図、図５は組立てる前の状態を示す収容ラックの斜視図、図６はスライダー、当接部材、回転バケット及び駆動機構を取付ける前の収容ラックの斜視図、図７は収容ラックの要部斜視図、図８はスライダー、当接部材及び回転バケットの側面図、図９は連結する前の第１閉鎖部材及び第２閉鎖部材の斜視図、図１０は第３閉鎖部材の斜視図、図１１及び図１２は回転バケットの取付方法を示す図、図１３は駆動機構を取付ける前の収容ラックの要部平面図、図１４は回転バケットの側面図、図１５は回転バケットの平面図、図１６は当接部材の正面図、図１７はスライダーの底面側斜視図、図１８はボトル商品を載置した状態のスライダー、当接部材及び回転バケットの側面図である。
【００１０】
この自動販売機は、前面を開口した自動販売機本体１と、自動販売機本体１の開口部を開閉可能な前面扉２と、前面扉２の背面側に配置されるように自動販売機本体１内に設けられ、複数のボトル商品Ａを前後方向に並ぶように起立状態で複数列収容可能な収容ラック１０とを備えている。また、収容ラック１０は、前後方向に延びるように設けられた複数のスライダー２０と、各スライダー２０の前方にそれぞれ配置されるように設けられた複数の回転バケット３０と、各回転バケット３０をそれぞれ回転させるための複数の駆動機構３５とを有する。また、以下の文章中の方向の説明は図１及び図２に示した方向に準ずる。また、以下の文章中の幅方向は図１及び図２に示した左右方向と一致している。
【００１１】
自動販売機本体１は矩形の箱状に形成されており、前面に紙幣投入口３、硬貨投入口４、商品選択ボタン５、硬貨取出口６などを有する。また、前面扉２は矩形板状のガラス板２ａを有し、右端が自動販売機本体１に支持されている。また、前面扉２の左端には開閉のための取手２ａが設けられている。
【００１２】
収容ラック１０は、前後方向に延びるように設けられた一対の側面板１１と、各側面板１１の前端に図示しないボルト等の締結部材によって固定されている前面パネル１２と、各側面板１１の後端に図示しないボルト等の締結部材によって固定されている背面板１３と、収容ラック１０内に収容された各ボトル商品Ａを列ごとに仕切り、収容ラック１０内に複数の商品通路１０ａを形成するための複数の仕切板１４とを有する。また、各仕切板１４の後端は図示しないボルト等の締結部材によって背面板１３に固定され、各仕切板１４の前端は図示しないボルト等の締結部材によって前面パネル１２に固定されている。
【００１３】
各側面板１１はそれぞれ第１部品１１ａに第２部品１１ｂを図示しないボルト等の締結部材によって連結することにより形成され、各部品１１ａ，１１ｂは圧延鋼板をプレス成形することにより形成されている。
【００１４】
前面パネル１２は、前面板１２ａの背面に取付板１２ｂ及び商品受け１２ｃを図示しないボルト等の締結部材によって固定することにより形成され、前面板１２ａ、取付板１２ｂ及び商品受け１２ｃは圧延鋼板をプレス成形することにより形成されている。取付板１２ｂは前面板１２ａの上端側の背面から後方に向かって延びるように形成され、商品受け１２ｃは前面板１２ａの下端側の背面から後方に向かって延びるように形成されている。また、前面板１２ａの中央部には矩形状の開口部１２ｄが設けられている。さらに、取付板１２ｂには複数の矩形孔１２ｅが設けられ、各矩形孔１２ｄは互いに幅方向に間隔をおいて配置されている。また、各矩形孔１２ｅはそれぞれ各駆動機構３５の取付位置に対応する位置に設けられ、各矩形孔１２ｅの近傍にはネジ孔１２ｆが２つずつ設けられている。商品受け１２ｃには複数の丸孔１２ｇが設けられ、各丸孔１２ｇは互いに幅方向に間隔をおいて配置されている。
【００１５】
背面板１３は圧延鋼板をプレス成形することにより形成されている。また、仕切板１４も圧延鋼板をプレス成形することにより形成された２つの部品を図示しないボルト等の締結部材によって連結することにより形成されている。
【００１６】
各側面板１１の前端側には左右方向に貫通する第１取付孔１１ｃがそれぞれ設けられ、各側面板１１の後端側には左右方向に貫通する複数の第２取付孔１１ｄがそれぞれ設けられるとともに、各第２取付孔１１ｄは互いに上下方向に間隔をおいて配置されている。また、各側面板１１にはそれぞれ前後方向に延びるレール１１ｅが設けられている。
【００１７】
各スライダー２０は各商品通路１０ａごとに設けられ、商品通路１０ａ内に収容されたボトル商品Ａの底面を前方に向かって移動可能に支持している。また、各スライダー２０は、上面を平面状に形成された合成樹脂製のスライダー本体２１と、スライダー本体２１の下面に沿って設けられた金属性の補強部材２２とを有する。スライダー２０の前端は後述する回転バケット３０の載置部３１の外周面に沿うように形成されている。
【００１８】
スライダー本体２１の上面には複数の突状部２１ａが設けられ、各突状部２１ａは前後方向に延びるように設けられている。これにより、ボトル商品Ａとスライダー２０との摩擦抵抗が低減される。また、スライダー本体２１の上面の幅方向中央には前後方向に延びる凹状部２１ｂが設けられている。また、スライダー２０には当接部材４０が前後方向に移動可能に係合しており、当接部材４０は図示しない付勢部材５０によって前方に向かって付勢されている。尚、付勢部材は凹状部２１ｂ内に配置されている。
【００１９】
スライダー本体２１の前端には前後方向に延びるように形成された第１切欠部２１ｃが設けられ、スライダー本体２１の後端には前後方向に延びるように形成された第２切欠部２１ｄが設けられている。一方、収容ラック１０の各側面板１１の第１取付孔１１ｃには棒状の前端支持部材６０の端部がそれぞれ挿通し、収容ラック１０の各側面板１１の第２取付孔１１ｄには棒状の後端支持部材７０の端部がそれぞれ挿通している。各支持部材６０，７０の両端部にはそれぞれ位置決めピン８０が取付けられ、各位置決めピン８０によって各支持部材６０，７０が各側面板１１に対して幅方向に位置決めされている。前端支持部材６０は各スライダー２０の第１切欠部２１ｃに前方、下方及び上方から係合し、後端支持部材７０は各スライダー２０の第２切欠部２１ｄに後方、下方及び上方から係合している。即ち、各スライダー２０は各支持部材６０，７０によって収容ラック１０に取付けられている。また、第２取付孔１１ｄは各側面板１１に複数ずつ設けられ、各第２取付孔１１ｄは互いに上下方向に間隔をおいて設けられているので、後端支持部材７０の端部を他の第２取付孔１１ｄに挿通させることにより、各スライダー２０の傾斜角度を調整することができる。
【００２０】
補強部材２２は圧延鋼板をプレス成形することにより形成され、スライダー本体２１の下面に沿って前後方向に延びるように形成されている（図１６及び図１７参照）。また、補強部材２２の幅方向両端は下方に向かって延びるように形成されているので、補強部材２２は前端と後端の間で上下方向に屈曲し難い。補強部材２２には２つの孔２２ａが設けられ、各孔２２ａにはスライダー本体２１の下面に一体に設けられた係止爪２１ｅがそれぞれ係止している。各係止爪２１ｅに各孔２２を係止させることにより、補強部材２２がスライダー本体２１に組付けられる。
【００２１】
当接部材４０はスライダー２０に載置された各ボトル商品Ａのうち最後尾のボトル商品Ａに後方から当接可能であり、当接部材４０の前面はボトル商品Ａの側面に沿うように曲面状に形成されている。また、当接部材４０の下端側をスライダー２０が挿通し、当接部材４０はスライダー２０の上面に上方から係合するとともに、スライダー２０下面に下方から係合している（図１６参照）。さらに、当接部材４０はスライダー２０の側面と幅方向に係合している。
【００２２】
各回転バケット３０は透明な合成樹脂材料から成る。また、各回転バケット３０は、スライダー２０の前端の上面より少し低い位置に設けられた円板状の載置部３１と、載置部３１の上面から上方に延びるように設けられた略円筒形状の筒状部３２とを有する。
【００２３】
載置部３１の下面には円筒状のボス３１ａが設けられ、ボス３１ａは商品受け１２ｃの丸孔１２ｇに回転可能に支持されている。
【００２４】
筒状部３２の周方向の一部には開口部３２ａが設けられ、開口部３２ａは筒状部３２の外周面の一部が略半周に亘って開口することにより形成されている。筒状部３２の上面には円筒状のボス３２ｂが設けられ、ボス３２ｂは取付板１２ｂの矩形孔１２ｅに後方から当接している。矩形孔１２ｅにおけるボス３２ｂが当接する部分にはボス３２ｂの外周面に沿う凹状部１２ｈが形成されている（図１３参照）。また、ボス３２ｂの上面の中央部には取付孔３２ｃが設けられ、取付孔３２ｃの内周面の周方向の一部は平面状に形成されている。ボス３２ｂの側面には差込孔３２ｄが設けられ、差込孔３２ｄには金属製の補強部材３２ｅが挿入されるとともに、補強部材３２ｅは差込孔３２ｄと回転バケット３０の回転方向に係合している。また、補強部材３２ｅの略中央部には取付孔３２ｆが設けられ、取付孔３２ｆはボス３２ｂの取付孔３２ｃに対応する位置に設けられている。また、取付孔３２ｆは周方向の一部が平面状に形成されている。
【００２５】
各回転バケット３０は前面板１２ａの背面側に配置されている。また、左端の回転バケット３０と左側の側面板１１との間には第１閉鎖部材９１が設けられるとともに、右端の回転バケット３０と右側の側面板１１との間には第２閉鎖部材９２が設けられ、各回転バケット３０の間にはそれぞれ第３閉鎖部材９３が設けられている。これにより、各回転バケット３０の間に生ずる隙間が閉鎖されるとともに、両端の回転バケット３０と側面板１１との間に生ずる隙間が閉鎖されている。また、ボトル商品Ａを搬出しない待機時は、各回転バケット３０は開口部３２ａが後方を向く回転方向所定位置に配置されている。このため、前面板１２ａの背面側は各回転バケット３０の筒状部３２の外周面、各閉鎖部材９１，９２，９３、取付板１２ｂ及び商品受け１２ｃによって閉鎖され、収容ラック１０内のボトル商品Ａに対する悪戯等の不正を防止することができる。
【００２６】
第１閉鎖部材９１及び第２閉鎖部材９２は合成樹脂材料から成る。また、第１閉鎖部材９１にはネジ孔９１ａが設けられ、ネジ孔９１ａにはボルト９１ｂが螺合可能である。第２閉鎖部材９２には取付孔９２ａが設けられ、取付孔９２ａにはボルト９１ｂが挿通可能である。第３閉鎖部材９３は第１閉鎖部材９１と第２閉鎖部材９２とを連結することにより形成され、取付孔９２ａを挿通してネジ孔９１ａに螺合するボルト９１ｂによって第１閉鎖部材９１と第２閉鎖部材９２とが連結されている（図９及び図１０参照）。
【００２７】
図６に示すように左側の側面板１１の前端側には取付孔１１ｆが設けられるとともに、図２に示すように取付孔１１ｆにはボルト９１ｃが挿通し、ボルト９１ｃは第１閉鎖部材９１のネジ孔９１ａに螺合している。これにより、第１閉鎖部材９１が左側の側面板１１に取付けられている。また、図６に示すように右側の側面板１１の前端側にはネジ孔１１ｇが設けられるとともに、第２閉鎖部材９２の取付孔９２ａには図示しないボルト等の締結部材が挿通し、その締結部材によって第２閉鎖部材９２が右側の側面板１１に取付けられている。
【００２８】
駆動機構３５は周知の電動モータから成り、２本のボルト３５ａによって取付板１２ｂに着脱自在に取付けられる。ここで、各ボルト３５ａは取付板１２ｂの各ネジ孔１２ｆに螺合可能である。また、駆動機構３５には駆動シャフト３５ｂが設けられ、駆動シャフト３５ｂは駆動機構３５の下面から下方に向かって延びている。駆動シャフト３５ｂの外周面の一部は平面状に形成されている。
【００２９】
回転バケット３０は図１１及び図１２に示すように収容ラック１０に取付けられる。回転バケット３０を収容ラック１０に取付けるためには、先ず、回転バケット３０の下端に設けられたボス３１ａを商品受け１２ｃの丸孔１２ｇに挿入した後、回転バケット３０の上端に設けられたボス３２ｂを取付板１２ｂの矩形孔１２ｅに挿入する。また、ボス３２ｂを矩形孔１２ｅの凹状部１２ｆに後方から当接させる。続いて、ボス３２ｂの取付孔３２ｃに駆動機構３５の駆動シャフト３５ｂを挿入し、駆動シャフト３５ｂが補強部材３２ｅの取付孔３２ｆに挿入される。これにより、駆動シャフト３５ｂと各取付孔３２ｃ，３２ｆとが回転方向に係合する。続いて、駆動機構３５を各ボルト３５ａによって取付板１２ｂに取付ける。
【００３０】
ここで、駆動シャフト３５ｂは各取付孔３２ｃ，３２ｆに回転方向に係合し、取付孔３２ｆを有する補強部材３２ｅは回転バケット３２の差込孔３２ｄに回転方向に係合しているので、合成樹脂材料から成る取付孔３２ｃの破損を防止することができる。また、補強部材３２ｅを差込孔３２ｄに挿入することにより、回転バケット３０に補強部材３２ｅを設けるようにしたので、補強部材３２ｅを回転バケット３０と一体にインサート成型する場合と比較し、製造コストの低減を図ることができる。
【００３１】
このように構成されたボトル商品の自動販売機において、収容ラック１０を自動販売機本体１に装着する場合は、収容ラック１０の各レール１１ｅを自動販売機本体１に設けられた図示しないレールに係合させる。これにより、収容ラック１０が自動販売機本体１に前方に引き出し可能に装着される。また、自動販売機本体１に装着された収容ラック１０の各スライダー２０が後端側から前端側に向かって下方に傾斜するように、収容ラック１０の各レール１１ｅの傾きが設定されている。
【００３２】
自動販売機本体１に装着された収容ラック１０に複数のボトル商品Ａを装填すると、各ボトル商品Ａは各商品通路１０ａ内に前後方向に並ぶように収容される。また、商品通路１０ａ内のボトル商品Ａはスライダー２０の傾斜によって前方に向かって移動する。
【００３３】
また、各ボトル商品Ａがスライダー２０上を前方に向かって移動すると、各ボトル商品Ａのうち最前のボトル商品Ａが回転バケット３０内に配置される（図１８参照）。ここで、紙幣投入口３または硬貨投入口４に金銭が投入され、商品選択ボタン５が操作されると、商品選択ボタン５の操作に応じた回転バケット３０が駆動機構３５によって回転し、回転バケット３０は開口部３２ａが前方を向く他の回転方向所定位置に配置される。これにより、回転バケット３０内のボトル商品Ａが前方に搬出される。回転バケット３０から搬出されたボトル商品Ａは前面扉２を開放することにより取出される。
【００３４】
ここで、外径の小さいボトル商品Ａを商品通路１０ａ内に収容すると、ボトル商品Ａは商品通路１０ａ内で幅方向に位置がずれるが、スライダー２０の前端は回転バケット３０の載置部３１の外周面に沿うように形成されていることから、スライダー２０の前端と回転バケット３０の載置部３１との隙間を商品通路１０ａの幅方向に亘って極力小さくすることができ、ボトル商品Ａがスライダー２０と回転バケット３０との隙間に引っ掛かることがない。即ち、ボトル商品Ａの種類に拘らず、商品通路１０ａ内のボトル商品Ａが回転バケット３０内に円滑に移動する。
【００３５】
また、ボトル商品Ａの重量や底面の摩擦係数はボトル商品Ａの種類によって異なり、ボトル商品Ａの底面の摩擦係数が大きい場合は、ボトル商品Ａが前方に向かって移動し難い。ここで、後端支持部材７０を他の第２取付孔１１ｄに取付けることにより、スライダー２０の傾斜角度を変更することができるので、例えば摩擦係数が大きいボトル商品Ａを商品通路１０ａ内に収容する場合は、スライダー２０の傾斜角度を大きくすることにより、ボトル商品Ａがスライダー２０上を前方に向かって円滑に移動し、重量が大きく摩擦係数の小さいボトル商品Ａを商品通路１０ａ内に収容する場合は、スライダー２０の傾斜角度を小さくすることにより、ボトル商品Ａの重量によって回転バケット３０に加わる負荷が軽減される。即ち、スライダー２０の途中でボトル商品Ａが止まることがないので、ボトル商品Ａの種類に拘らず、商品通路１０ａ内のボトル商品Ａが回転バケット３０内に円滑に移動する。
【００３６】
また、回転バケット３０の上端のボス３２ｂは収容ラック１０の取付板１２ｂの凹状部１２ｈに後方から当接していることから、重量が大きいボトル商品Ａを商品通路１０ａ内に収容し、各ボトル商品Ａによって回転バケット３０に大きな負荷が加わる場合でも、回転バケット３０の前方への移動が規制され、駆動機構３５の駆動シャフト３５ａに大きな負荷が加わることがない。
【００３７】
また、スライダー２０には当接部材４０が前後方向に移動可能に係合し、当接部材４０は付勢部材５０によって前方に向かって付勢されている。このため、当接部材４０はスライダー２０上の各ボトル商品Ａのうち最後尾のボトル商品Ａに後方から当接し、各ボトル商品Ａは当接部材４０によって前方に向かって付勢される。即ち、商品通路１０ａから回転バケット３０へのボトル商品Ａの移動がより円滑に行われる。
【００３８】
また、各商品通路１０ａ内のボトル商品Ａはスライダー２０によって底面を支持され、ボトル商品Ａはスライダー２０上を前方に向かって移動するので、スライダー２０の上面がボトル商品Ａの移動によって傷付く。このため、傷付くことによりボトル商品Ａとの摩擦係数が大きくなったスライダー２０は新たなスライダー２０と交換される。
【００３９】
ここで、各商品通路１０ａにはそれぞれスライダー２０が設けられ、各スライダー２０の前端には前端支持部材６０が前方、下方及び上方から係合するとともに、各スライダー２０の後端には後端支持部材７０が後方、下方及び上方から係合している。このため、後端支持部材７０の端部の位置決めピン８０を取外すとともに、後端支持部材７０を収容ラック１０から取外すことにより、各スライダー２０が後方に移動可能となり、傷付いたスライダー２０を取外すことができる。また、新たなスライダー２０の前端を前端支持部材６０に係合させるとともに、後端支持部材７０を収容ラック１０に取付けることにより、新たなスライダー２０が収容ラック１０に取付けられる。
【００４０】
このように、本実施形態によれば、各商品通路１０ａにはそれぞれスライダー２０が設けられ、前端支持部材６０及び後端支持部材７０が下方及び前後方向から係合することにより各スライダー２０が収容ラック１０に取付けられていることから、各商品通路１０ａのうち何れか一つの商品通路１０ａのスライダーが傷付いた場合は、前端支持部材６０及び後端支持部材７０との係合を解除することにより、傷付いたスライダー２０を取外すことができる。また、前端支持部材６０及び後端支持部材７０と係合させることにより、新たなスライダー２０を収容ラック１０に取付けることができる。従って、スライダー２０が傷付いた場合の交換作業を容易に行うことができる。また、各スライダー２０を前端支持部材６０及び後端支持部材７０によって収容ラック１０に取付けることができるので、各スライダー２０を取付ける構造が簡単であり、製造コストを低減する上で極めて有利である。
【００４１】
また、前端支持部材６０は各スライダー２０の前端の第１切欠部２１ｃに前方、下方及び上方から係合可能であり、後端支持部材７０は各スライダー２０の後端の第２切欠部２１ｄに後方、下方及び上方から係合可能である。これにより、各スライダー２０の前端及び後端は各支持部材６０，７０によって上方への移動を規制され、各スライダー２０が収容ラック１０に確実に取付けられる。また、後端支持部材７０が収容ラック１０に着脱可能に取付けられていることから、後端支持部材７０を収容ラック１０から取外すと、各スライダー２０が後方に移動可能となる。即ち、各スライダー２０を収容ラック１０から容易に取外すことができる。
【００４２】
また、収容ラック１０を、収容ラック１０の側面を形成する一対の側面板１１と、各側面板１１の後端に固定され、収容ラックの背面を形成する背面板１３と、各側面板１１の前端に固定されるとともに、各回転バケット３０が取付けられ、収容ラック１０の前面を形成する前面パネル１２と、背面板１３及び前面パネル１２に固定され、各側面板１１の間を幅方向に仕切って複数の商品通路１０ａを形成する複数の仕切板１４とから構成したので、収容ラック１０を構成する各側面板１１、背面板１３及び各仕切板１４を平板状に形成することができ、収容ラック１０の製造コストを低減する上で極めて有利である。また、各側面板１１、前面パネル１２、背面板１３及び各仕切板１４をプレス成形された圧延鋼板によって形成したので、収容ラック１０の製造コストを低減する上で有利である。
【００４３】
また、左端の回転バケット３０と左側の側面板１１との間には第１閉鎖部材９１が設けられるとともに、右端の回転バケット３０と右側の側面板１１との間には第２閉鎖部材９２が設けられ、また、各回転バケット３０の間にはそれぞれ第３閉鎖部材９３が設けられ、第３閉鎖部材９３は第１閉鎖部材９１と第２閉鎖部材９２とを連結することにより形成されているので、部品点数を削減することができ、製造コストの低減を図る上で極めて有利である。
【００４４】
また、第１閉鎖部材９１にはネジ孔９１ａが設けられるとともに、第２閉鎖部材９２には取付孔９２ａが設けられ、取付孔９２ａを挿通してネジ孔９１ａに螺合するボルト９１ｂによって第１閉鎖部材９１が第２閉鎖部材９２に連結されているので、第１閉鎖部材９１と第２閉鎖部材９２との連結を容易に行うことができ、製造コストの低減を図る上で有利である。
【００４５】
さらに、第１閉鎖部材９１をネジ孔９１ａに螺合する締結部材によって左側の側面板１１に取付けるとともに、第２閉鎖部材９２を取付孔９２ａに挿通する締結部材によって右側の側面板１１に取付けるようにしたので、各閉鎖部材９２を各側面板１１に容易に取付けることができ、製造コストの低減を図る上で有利である。
【００４６】
また、スライダー２０を、商品通路１０ａ内に収容されたボトル商品Ａの底面に接触する合成樹脂製のスライダー２１と、スライダー本体２１よりも剛性の高い圧延鋼板から成り、スライダー本体２１の下面に沿うように設けられた補強部材とから構成したので、一般に金属に比べて摩擦抵抗の小さい合成樹脂材料によってスライダー２０とボトル商品Ａとの摩擦抵抗を低減することができ、しかもスライダー２０の強度を確保することができる。さらに、金属材料から成るスライダーを用いる場合と比較し、収容ラック１０の軽量化を図ることができる。
【００４７】
また、各側面板１１の後端側に互いに上下方向に間隔をおいて配置された複数の第２取付孔１１ｄをそれぞれ設け、後端支持部材７０の両端が各側面板１１の第２取付孔１１ｄに挿入されることにより、後端支持部材７０が収容ラック１０に着脱可能に取付けられることから、後端支持部材７０の両端を他の第２取付孔１１ｄに挿入することにより、各スライダー２０の傾斜角度を調整することができる。即ち、簡単な構成によって各スライダー２０の傾斜角度を調整することができる。
【００４８】
また、回転バケット３０の上端側に設けられた差込孔３２ｄには補強部材３２ｅが挿入され、補強部材３２ｅは差込孔３２ｄに回転バケット３０の回転方向に係合するとともに、補強部材３２ｅの取付孔３２ｆには駆動機構３５の駆動シャフト３５ｂが回転方向に係合しているので、合成樹脂材料から成る取付孔３２ｃの破損を防止することができ、耐久性の向上を図る上で有利である。
【００４９】
尚、本実施形態では、各スライダー２０の各切欠部２１ｃ，２１ｄを前後方向に延びるように形成したものを示したが、各切欠部２１ｃ，２１ｄを上下方向に延びるように形成することも可能である。この場合、後端支持部材７０を収容ラック１０から取外すことなく、各スライダー２０の各切欠部２１ｃ，２１ｄを各支持部材６０，７０に着脱自在に係合させることができる。また、各切欠部２１ｃ，２１ｄと各支持部材６０，７０とは上下方向及び前後方向に係合する。
【００５０】
また、本実施形態では、各スライダー２０の前端が前端支持部材６０に係合するようにしたものを示したが、前面パネル１２の商品受け１２ｃを各スライダー２０の前端に下方及び前方から係合するように形成することも可能である。この場合、商品受け１２ｃが請求項に記載した前端支持部材に相当することから、前端支持部材６０が不要となり、部品点数を削減することによる製造コストの低減を図ることができる。
【００５１】
尚、本実施形態では、当接部材４０がスライダー２０に前後方向に移動可能に係合するとともに、当接部材４０が付勢部材によって前方に向かって付勢され、当接部材４０によってスライダー２０上の各ボトル商品Ａが前方に向かって付勢されるようにしたものを示したが、スライダー２０は後端から前端に向かって下方に傾斜しており、各ボトル商品Ａは自重によってスライダー２０上を前方に向かって移動するので、当接部材４０及び付勢部材を設けないことも可能である。
【図面の簡単な説明】
【００５２】
【図１】本発明の一実施形態を示す自動販売機の斜視図
【図２】外扉を開いた状態の自動販売機の斜視図
【図３】自動販売機の正面図
【図４】外扉の要部斜視図
【図５】組立てる前の状態を示す収容ラックの斜視図
【図６】スライダー、当接部材、回転バケット及び駆動機構を取付ける前の収容ラックの斜視図
【図７】収容ラックの要部斜視図
【図８】スライダー、当接部材及び回転バケットの側面図
【図９】連結する前の第１閉鎖部材及び第２閉鎖部材の斜視図
【図１０】第３閉鎖部材の斜視図
【図１１】回転バケットの取付方法を示す図
【図１２】回転バケットの取付方法を示す図
【図１３】駆動機構を取付ける前の収容ラックの要部平面図
【図１４】回転バケットの側面図
【図１５】回転バケットの平面図
【図１６】当接部材の正面図
【図１７】スライダーの底面側斜視図
【図１８】ボトル商品を載置した状態のスライダー、当接部材及び回転バケットの側面図
【符号の説明】
【００５３】
１…自動販売機本体、２…前面扉、２ａ…ガラス板、１０…収容ラック、１０ａ…商品通路、１１…側面板、１１ｃ…第１取付孔、１１ｄ…第２取付孔、１１ｅ…レール、１２…前面パネル、１２ｂ…取付板、１２ｃ…商品受け、１２ｅ…矩形孔、１２ｆ…ネジ孔、１２ｇ…丸孔、１２ｈ…凹状部、１３…背面板、１４…仕切板、２０…スライダー、２１…スライダー本体、２１ｃ…第１切欠部、２１ｄ…第２切欠部、２１ｅ…係止爪、２２…補強部材、２２ａ…孔、３０…回転バケット、３１…載置部、３１ａ…ボス、３２…筒状部、３２ａ…開口部、３２ｂ…ボス、３２ｃ…取付孔、３２ｄ…差込孔、３２ｅ…補強部材、３２ｆ…取付孔、３５…駆動機構、３５ａ…ボルト、３５ｂ…駆動シャフト、４０…当接部材、６０…前端支持部材、７０…後端支持部材、９１…第１閉鎖部材、９１ａ…ネジ孔、９１ｂ…ボルト、９２…第２閉鎖部材、９２ａ…取付孔、９３…第３閉鎖部材、Ａ…ボトル商品。
【図１】
2007293505.tif 000003
【図２】
2007293505.tif 000004
【図３】
2007293505.tif 000005
【図４】
2007293505.tif 000006
【図５】
2007293505.tif 000007
【図６】
2007293505.tif 000008
【図７】
2007293505.tif 000009
【図８】
2007293505.tif 000010
【図９】
2007293505.tif 000011
【図１０】
2007293505.tif 000012
【図１１】
2007293505.tif 000013
【図１２】
2007293505.tif 000014
【図１３】
2007293505.tif 000015
【図１４】
2007293505.tif 000016
【図１５】
2007293505.tif 000017
【図１６】
2007293505.tif 000018
【図１７】
2007293505.tif 000019
【図１８】
2007293505.tif 000020